(57)【要約】【課題】  タッチペンの取り出しによって利き腕に応じた画面表示を行うことができる情報端末装置を提供する。【解決手段】  ＣＰＵ１０は、ペンが右側から取り出されたか否かを判定する。第１格納スイッチ１６によってタッチペン１９が収納部２０から取り出されたことが検出された時刻が、第２格納スイッチ１７によってタッチペン１９が収納部２０から取り出されたことが検出された時刻よりも早い時刻であるとき、ペンが右側から取り出されたと判定し、右利き用の手書き入力画面を表示部１３に表示する。第１格納スイッチ１６によってタッチペン１９が収納部２０から取り出されたことが検出された時刻が、第２格納スイッチ１７によってタッチペン１９が収納部２０から取り出されたことが検出された時刻よりも早い時刻でないとき、ペンが左側から取り出されたと判定し、左利き用の手書き入力画面を表示部１３に表示する。【選択図】      図１
2012226713.tif 000002
【特許請求の範囲】
【請求項１】
情報を表示するための表示部と、
タッチペンによって手書きで情報を入力するためのタッチパネルと、
表示部およびタッチパネルに電力を供給する電源部と、
表示部に向かって左右方向にタッチペンを収納する収納部と、
タッチペンが収納部から取り外されたこと、およびタッチペンの右端よりも左端が先に取り出されたか、タッチペンの左端よりも右側が先に取り出されたかを検出する取り出し検出部と、
取り出し検出部によってタッチペンが取り出されたことが検出されたとき、電源部の電源を投入し、取り出し検出部によってタッチペンの右端よりも左端が先に取り出されたことが検出された場合、左手によって手書きで情報を入力するための左利き用の手書き入力画面を表示部に表示し、取り出し検出部によってタッチペンの左端よりも右端が先に取り出されたことが検出された場合、右手によって手書きで情報を入力するための右利き用の手書き入力画面を表示部に表示する制御部とを含むことを特徴とする情報端末装置。
【請求項２】
前記電源部の電源の投入および電源の切断を指示する電源投入切断指示部をさらに含み、
前記取り出し検出部は、タッチペンが前記収納部に収納されていることをさらに検出し、
前記制御部は、
電源投入切断指示部が電源の投入を指示した時点で、前記取り出し検出部によって、タッチペンが前記収納部に収納されていることが検出されず、かつ電源投入切断指示部が電源の切断を指示した時点で、前記取り出し検出部によって、タッチペンが前記収納部に収納されていることが検出されなかった場合、タッチペンが紛失した可能性があると判定し、
電源投入切断指示部が電源の投入を指示した時点で、前記取り出し検出部によって、タッチペンが前記収納部に収納されていることを検出された場合、または、電源投入切断指示部が電源の切断を指示した時点で、前記取り出し検出部によって、タッチペンが前記収納部に収納されていることが検出された場合、タッチペンが存在すると判定することを特徴とする請求項１に記載の情報端末装置。
【請求項３】
時間を計時する計時部をさらに含み、
前記制御部は、タッチペンが紛失した可能性があると判定した場合、前記取り出し検出部が、タッチペンが収納部から取り出されたことを検出した時点から、タッチペンが収納部に収納されたことを検出することなく、計時部によって計時された時間が、予め定める時間を超えたとき、手書き入力画面を右利き用にするか、左利き用にするかを設定するための設定画面を表示部に表示することを特徴とする請求項２に記載の情報端末装置。
【請求項４】
情報を入力するための複数のキーを有するキーボードをさらに含み、
前記取り出し検出部は、タッチペンが前記収納部に収納されたことをさらに検出し、
前記制御部は、前記取り出し検出部によって、電源が投入されている状態でタッチペンが前記収納部に収納されたことが検出されたとき、表示部に表示している手書き入力画面を、キーボードによって情報を入力するためのキーボード入力画面に代えて、表示部に表示することを特徴とする請求項１〜３のいずれか１つに記載の情報端末装置。
【請求項５】
前記収納部は、筒状であることを特徴とする請求項１〜４のいずれか１つに記載の情報端末装置。
【請求項６】
前記収納部は、溝状であることを特徴とする請求項１〜４のいずれか１つに記載の情報端末装置。
【請求項７】
前記収納部は、クリップ状であることを特徴とする請求項１〜４のいずれか１つに記載の情報端末装置。
【請求項８】
前記取り出し検出部は、複数のスイッチによって構成されることを特徴とする請求項１〜７のいずれか１つに記載の情報端末装置。
【請求項９】
前記取り出し検出部は、２つのスイッチによって構成されることを特徴とする請求項８に記載の情報端末装置。
【発明の詳細な説明】
【技術分野】
【０００１】
本発明は、手書き入力が可能な情報端末装置に関する。
【背景技術】
【０００２】
タッチパネルを持つシステム、たとえば情報端末装置は、使用者に対して、利き腕を問うユーザインターフェイスを表示する。使用者は、この問いに答える操作をすることによって、利き腕に応じたユーザインターフェイスを表示することができる。
【０００３】
第１の従来技術として、特許文献１に記載される操作案内装置がある。この操作案内装置は、ディスプレイ上に選択入力エリアを画面左右に跨って表示する。そして、操作者が接触した位置が、選択入力エリア中の右半分の場合、次に表示する入力エリアを右寄りに表示し、選択入力エリア中の左半分の場合、次に表示する入力エリアを左寄りに表示することによって、利用者の利き腕に応じた表示を行う。また、操作案内装置は、初期画面に利用者の利き腕を尋ねる右利きエリアおよび左利きエリアを表示し、利用者に利き腕を指定させることもできる。
【０００４】
第２の従来技術として、特許文献２に記載されるペン入力型情報処理装置がある。このペン入力型情報処理装置は、ペンが入力用専用ペン収納箇所から取り出されれば、ペン入力型情報処理装置への電力の供給を開始し、ペンが入力用専用ペン収納箇所に収納されたことが検出されれば、ペン入力型情報処理装置への電力の供給が終了する。ペンの取り付け状態に応じて、自動的に電源のオン／オフの制御を行う。また、入力用専用ペン収納箇所は、ペン入力型情報処理装置の右寄りに設けられているが、ペン入力型情報処理装置の上下を１８０度回転して、入力用専用ペン収納箇所を左寄りにして使用することもできる。
【０００５】
第３の従来技術として、特許文献３に記載されるペン入力装置がある。このペン入力装置は、それぞれ電源制御のパターンが設定されている２つのペン検出センサによって、ペン収納部に収納されたペンの回転方向あるいは回転回数を検出し、検出した回転方向あるいは回転回数に応じて、電源制御を行う。ペンを回転させることによって、電源制御を可能としたものである。
【０００６】
第４の従来技術として、特許文献４に記載されるペン入力型情報機器がある。このペン入力型情報機器は、タッチパネルを保護するための保護カバーの一端縁に中空筒状の入力ペン取付け部が設けられ、機器本体に凹所の入力ペン収納部が設けられる。入力ペン取付け部に入力ペンが取り付けられた状態で保護カバーを閉じると、入力ペン取付け部および入力ペンが入力ペン収納部に収納される。その状態で、入力ペンを横方向に移動することによって、保護カバーが開かないようにロックする。保護カバーロックのためには、入力ペンを入力ペン取付け部に取り付ける必要があるので、入力ペンの紛失を防止することができる。
【先行技術文献】
【特許文献】
【０００７】
【特許文献１】特開平６−２０８６７１号公報
【特許文献２】特開平６−２８９９７５号公報
【特許文献３】特開平１１−６６０１１号公報
【特許文献４】特開平１０−３０７６６６号公報
【発明の概要】
【発明が解決しようとする課題】
【０００８】
第１の従来技術では、選択入力エリアの操作または利き腕の設定など、使用者による画面での操作が必要である。第２，３の従来技術では、ペンを使用して電源のオン／オフ等を制御するので、ペンを紛失すると、電源のオン／オフを制御することができなくなる。また、第２の従来技術では、利き腕に応じた操作を行うためには、装置の上下を１８０度回転させなければならない。第４の従来技術では、ペンの紛失を防止することはできるが、利き腕に応じた操作を行うことはできない。
【０００９】
本発明の目的は、タッチペンの取り出しによって利き腕に応じた画面表示を行うことができる情報端末装置を提供することである。
【課題を解決するための手段】
【００１０】
本発明は、情報を表示するための表示部と、
タッチペンによって手書きで情報を入力するためのタッチパネルと、
表示部およびタッチパネルに電力を供給する電源部と、
表示部に向かって左右方向にタッチペンを収納する収納部と、
タッチペンが収納部から取り外されたこと、およびタッチペンの右端よりも左端が先に取り出されたか、タッチペンの左端よりも右側が先に取り出されたかを検出する取り出し検出部と、
取り出し検出部によってタッチペンが取り出されたことが検出されたとき、電源部の電源を投入し、取り出し検出部によってタッチペンの右端よりも左端が先に取り出されたことが検出された場合、左手によって手書きで情報を入力するための左利き用の手書き入力画面を表示部に表示し、取り出し検出部によってタッチペンの左端よりも右端が先に取り出されたことが検出された場合、右手によって手書きで情報を入力するための右利き用の手書き入力画面を表示部に表示する制御部とを含むことを特徴とする情報端末装置である。
【００１１】
また本発明は、前記電源部の電源の投入および電源の切断を指示する電源投入切断指示部をさらに含み、
前記取り出し検出部は、タッチペンが前記収納部に収納されていることをさらに検出し、
前記制御部は、
電源投入切断指示部が電源の投入を指示した時点で、前記取り出し検出部によって、タッチペンが前記収納部に収納されていることが検出されず、かつ電源投入切断指示部が電源の切断を指示した時点で、前記取り出し検出部によって、タッチペンが前記収納部に収納されていることが検出されなかった場合、タッチペンが紛失した可能性があると判定し、
電源投入切断指示部が電源の投入を指示した時点で、前記取り出し検出部によって、タッチペンが前記収納部に収納されていることを検出された場合、または、電源投入切断指示部が電源の切断を指示した時点で、前記取り出し検出部によって、タッチペンが前記収納部に収納されていることが検出された場合、タッチペンが存在すると判定することを特徴とする。
【００１２】
また本発明は、時間を計時する計時部をさらに含み、
前記制御部は、タッチペンが紛失した可能性があると判定した場合、前記取り出し検出部が、タッチペンが収納部から取り出されたことを検出した時点から、タッチペンが収納部に収納されたことを検出することなく、計時部によって計時された時間が、予め定める時間を超えたとき、手書き入力画面を右利き用にするか、左利き用にするかを設定するための設定画面を表示部に表示することを特徴とする。
【００１３】
また本発明は、情報を入力するための複数のキーを有するキーボードをさらに含み、
前記取り出し検出部は、タッチペンが前記収納部に収納されたことをさらに検出し、
前記制御部は、前記取り出し検出部によって、電源が投入されている状態でタッチペンが前記収納部に収納されたことが検出されたとき、表示部に表示している手書き入力画面を、キーボードによって情報を入力するためのキーボード入力画面に代えて、表示部に表示することを特徴とする。
【００１４】
また本発明は、前記収納部は、筒状であることを特徴とする。
また本発明は、前記収納部は、溝状であることを特徴とする。
また本発明は、前記収納部は、クリップ状であることを特徴とする。
【００１５】
また本発明は、前記取り出し検出部は、複数のスイッチによって構成されることを特徴とする。
【００１６】
また本発明は、前記取り出し検出部は、２つのスイッチによって構成されることを特徴とする。
【発明の効果】
【００１７】
本発明によれば、表示部は、情報を表示する。タッチパネルは、タッチペンによって手書きされた情報を入力する。電源部は、表示部およびタッチパネルに電力を供給する。収納部は、表示部に向かって左右方向にタッチペンを収納する。取り出し検出部は、タッチペンが収納部から取り外されたこと、およびタッチペンの右端よりも左端が先に取り出されたか、タッチペンの左端よりも右側が先に取り出されたかを検出する。そして、制御部は、取り出し検出部によってタッチペンが取り出されたことが検出されたとき、電源部の電源を投入し、取り出し検出部によってタッチペンの右端よりも左端が先に取り出されたことが検出された場合、左手によって手書きで情報を入力するための左利き用の手書き入力画面を表示部に表示し、取り出し検出部によってタッチペンの左端よりも右端が先に取り出されたことが検出された場合、右手によって手書きで情報を入力するための右利き用の手書き入力画面を表示部に表示する。したがって、タッチペンの取り出しによって利き腕に応じた画面表示を行うことができる。また、タッチペンを取り出すだけで電源をオンにすることもでき、タッチペンを利用した電源投入および利き腕に応じた手書き入力画面の切り換えを自動で行うことができる。特に、複数の使用者で共有される情報端末装置において、使用者による利き腕に応じた手書き入力画面の切り換え操作を省くことができ、使用者の利便性を向上することができる。
【００１８】
また本発明によれば、電源投入切断指示部は、前記電源部の電源の投入および電源の切断を指示する。前記取り出し検出部は、タッチペンが前記収納部に収納されていることをさらに検出する。そして、前記制御部は、電源投入切断指示部が電源の投入を指示した時点で、前記取り出し検出部によって、タッチペンが前記収納部に収納されていることが検出されず、かつ電源投入切断指示部が電源の切断を指示した時点で、前記取り出し検出部によって、タッチペンが前記収納部に収納されていることが検出されなかった場合、タッチペンが紛失した可能性があると判定する。また、前記制御部は、電源投入切断指示部が電源の投入を指示した時点で、前記取り出し検出部によって、タッチペンが前記収納部に収納されていることを検出された場合、または、電源投入切断指示部が電源の切断を指示した時点で、前記取り出し検出部によって、タッチペンが前記収納部に収納されていることが検出された場合、タッチペンが存在すると判定する。したがって、タッチペンの紛失の可能性を検出することができる。
【００１９】
また本発明によれば、計時部は、時間を計時する。そして、前記制御部は、タッチペンが紛失した可能性があると判定した場合、前記取り出し検出部が、タッチペンが収納部から取り出されたことを検出した時点から、タッチペンが収納部に収納されたことを検出することなく、計時部によって計時された時間が、予め定める時間を超えたとき、手書き入力画面を右利き用にするか、左利き用にするかを設定するための設定画面を表示部に表示する。したがって、タッチペンが紛失されたと判断されるとき、右利き／左利きを設定するための画面を自動的に表示することができ、タッチペンを紛失しても、情報端末装置が使用不能になることを防止することができる。
【００２０】
また本発明によれば、キーボードは、情報を入力するための複数のキーを有する。前記取り出し検出部は、タッチペンが前記収納部に収納されたことをさらに検出する。そして、前記制御部は、前記取り出し検出部によって、電源が投入されている状態でタッチペンが前記収納部に収納されたことが検出されたとき、表示部に表示している手書き入力画面を、キーボードによって情報を入力するためのキーボード入力画面に代えて、表示部に表示する。したがって、タッチペンが収納されたとき、タッチペンが使用されることはないので、自動的に手書き入力画面からキーボード入力画面に切り換えることができる。
【００２１】
また本発明によれば、前記収納部は、筒状であるので、タッチペンを確実に収納することができる。
【００２２】
また本発明によれば、前記収納部は、溝状であるので、筒状の場合に比べて、容易に収納部を形成することができる。
【００２３】
また本発明によれば、前記収納部は、クリップ状であるので、筒状および溝状に比べて、収納部を小さくすることができる。
【００２４】
また本発明によれば、前記取り出し検出部は、複数のスイッチによって構成されるので、検出の順序に基づいて、収納方向および取り出し方向を検出することができる。
【００２５】
また本発明によれば、前記取り出し検出部は、２つのスイッチによって構成されるので、スイッチの数を必要最小限まで低減することができ、減価低減を図ることができる。
【図面の簡単な説明】
【００２６】
【図１】本発明の一実施形態である電子辞書１の構成を示すブロック図である。
【図２】電子辞書１の外観を示す図である。
【図３】タッチペン１９の収納方向を説明するための図である。
【図４】第１格納スイッチ１６および第２格納スイッが配置される位置を示す図である。
【図５】キーボード入力画面および手書き入力画面の例を示す図である。
【図６】右利き用および左利き用の手書き入力画面の例を示す図である。
【図７】ペン存在判断テーブル４０に含まれる情報を示す図である。
【図８】利き腕設定画面３４の一例を示す図である。
【図９】ペン取り出し処理の処理手順を示すフローチャートである。
【図１０】電源オン処理の処理手順を示すフローチャートである。
【図１１】電源オフ処理の処理手順を示すフローチャートである。
【図１２】リセット処理の処理手順を示すフローチャートである。
【図１３】使用者による手書きモード切り換え処理の処理手順を示すフローチャートである。
【図１４】手書き入力画面表示処理の処理手順を示すフローチャートである。
【図１５】収納部２０の他の形態を示す図である。
【発明を実施するための形態】
【００２７】
図１は、本発明の一実施形態である電子辞書１の構成を示すブロック図である。図２は、電子辞書１の外観を示す図である。情報端末装置である電子辞書１は、電子化された辞書であり、国語辞典、英和辞典、和英辞典あるいは百科事典などの辞書の機能を有し、手書きあるいはキーボードによって入力された文字の意味を調べることができる。情報端末装置は、電子辞書１に限定されるものではなく、手書き入力ができるパーソナルコンピュータあるいは携帯端末装置などであってもよい。以下、情報端末装置として、電子辞書１を例にして説明する。
【００２８】
電子辞書１は、中央処理装置（Central Processing Unit：以下「ＣＰＵ」という）１０、リードオンリーメモリ（Read Only Memory：以下「ＲＯＭ」という）１１、ランダムアクセスメモリ（Random Access Memory：以下「ＲＡＭ」という）１２、表示部１３、操作部１４、電源スイッチ１５、第１格納スイッチ１６、第２格納スイッチ１７、データバス１８、タッチペン１９、計時部２３および図示しない電源を含んで構成される。
【００２９】
制御部であるＣＰＵ１０は、ＲＯＭ１１に記憶されるプログラムを読み出して実行することによって、ＲＡＭ１２、表示部１３および操作部１４を制御する。ＣＰＵ１０は、計時部２３を参照することによって、時刻の認識および時間の計測を行うことができる。ＲＯＭ１１は、ＣＰＵ１０で実行されるプログラムを記憶する。ＲＡＭ１２は、ＣＰＵ１０によって情報の書き込みおよび読み出しが行われ、ＣＰＵ１０がプログラムを実行するために必要な情報を記憶する。
【００３０】
表示部１３は、たとえば液晶ディスプレイなどの表示装置によって構成される。表示部１３は、表示画面を有し、ＣＰＵ１０から受け取る情報を表示画面に表示する。操作部１４は、情報を入力するための入力装置であり、たとえばタッチパネル１４１およびキーボード１４２を含んで構成される。
【００３１】
タッチパネル１４１は、表示部１３の表示画面に近接する位置に対向して設けられる。タッチパネル１４１は、タッチペン１９が接触した位置を表す位置情報を、ＣＰＵ１０に送る。ＣＰＵ１０は、タッチパネル１４１から受け取る位置情報に基づいて、入力された手書き文字を認識し、また、表示画面に表示している操作ボタンのうちどの操作ボタンがタッチペン１９によって操作されたかを認識する。キーボード１４２は、文字、数字および記号などの情報を入力するための複数のキーを有し、操作されたキーが表す情報をＣＰＵ１０に送る。
【００３２】
電源スイッチ１５は、図示しない電源を投入あるいは切断するためのスイッチである。図示しない電源は、主電源と補助電源とを含む。電源部である主電源は、表示部１３および操作部１４に電力を供給する。電源スイッチ１５は、使用者によって操作され、主電源に対する電源投入指示および電源切断指示を指示することができる。補助電源は、常時オン状態であり、ＣＰＵ１０、ＲＯＭ１１、ＲＡＭ１２、電源スイッチ１５、第１格納スイッチ１６および第２格納スイッチ１７に電力を供給する。
【００３３】
電源投入切断指示部である電源スイッチ１５は、電源投入指示があったこと、および電源切断指示があったことをＣＰＵ１０に知らせる。ＣＰＵ１０は、電源スイッチ１５から電源投入指示を受けると、電源オン処理を実行し、電源スイッチ１５から電源切断指示を受けると、電源オフ処理を実行する。電源オン処理は、主電源を投入する処理であり、電源オフ処理は、主電源を切断する処理である。
【００３４】
第１格納スイッチ１６は、表示画面に向かって左右方向の中心よりも左側に設けられ、第１格納スイッチ１６が設けられている位置の収納部２０に、タッチペン１９が収納されているか否かを検出するスイッチである。第１格納スイッチ１６は、検出結果をＣＰＵ１０に送る。第１格納スイッチ１６および第２格納スイッチ１７は、物理的なスイッチによって構成されてもよいし、光学的なスイッチによって構成されてもよい。第２格納スイッチ１７は、表示画面に向かって左右方向の中心よりも右側に設けられ、第２格納スイッチ１７が設けられている位置の収納部２０に、タッチペン１９が収納されているか否かを検出するスイッチである。第２格納スイッチ１７は、検出結果をＣＰＵ１０に送る。第１格納スイッチ１６および第２格納スイッチ１７は、取り出し検出部である。
【００３５】
データバス１８は、情報を伝送するためのデータバスであり、ＣＰＵ１０と、ＲＯＭ１１、ＲＡＭ１２、表示部１３、操作部１４、電源スイッチ１５、第１格納スイッチ１６および第２格納スイッチ１７との間での情報の送受信を可能とする信号線である。タッチペン１９は、タッチパネル１４１に接触させ、接触した位置を指示するための指示具であり、たとえばタッチペンや人の指である。タッチペン１９は、棒状に形成され、少なくとも長手方向一端部に先細状のペン先部が設けられる。計時部２３は、時間を計時する。ＣＰＵ１０は、計時部２３を参照することによって、時刻の認識および時間の計測を行うことができる。
【００３６】
図３は、タッチペン１９の収納方向を説明するための図である。図３（ａ）は、電子辞書１の正面側から見た図であり、図３（ｂ）は、電子辞書１の背面側から見た図である。電子辞書１は、背面側に収納部２０が形成される。収納部２０は、電子辞書１の背面側上部に設けられている。収納部２０は、表示画面に向かって左右方向に貫通する筒状の貫通孔である。収納部２０は、背面左端に右開口部２１が形成され、背面右端に左開口部２２が形成されている。
【００３７】
タッチペン１９は、電子辞書１の左右方向の両側から収納可能であり、かついずれの側からも取り出し可能である。すなわち、左側および右側のいずれからでも収納可能であり、かつ取り出し可能である。
【００３８】
図４は、第１格納スイッチ１６および第２格納スイッチ１７が配置される位置を示す図である。第１格納スイッチ（以下「ＬＳＷ」ともいう）１６は、左開口部２２に近接する位置で、かつ収納部２０の貫通孔の側壁面に近接して、タッチペン１９の収納および取り出しを妨げない位置に設けられる。第２格納スイッチ（以下「ＲＳＷ」という）１７は、右開口部２１に近接する位置で、かつ収納部２０の貫通孔の側壁面に近接して、タッチペン１９の収納および取り出しを妨げない位置に設けられる。
【００３９】
ＣＰＵ１０は、ＬＳＷ１６およびＲＳＷ１７がタッチペン１９を検出する順序によって、タッチペン１９の収納方向および取り出し方向を判断する。すなわち、ＣＰＵ１０は、タッチペン１９を収納する場合、ＬＳＷ１６が先にタッチペン１９を検出し、ＲＳＷ１７がその後にタッチペン１９を検出すると、タッチペン１９が、電子辞書１の正面側からみて、左側から収納されたと判断し、ＲＳＷ１７が先にタッチペン１９を検出し、ＬＳＷ１６がその後にタッチペン１９を検出すると、タッチペン１９が、電子辞書１の正面側からみて、右側から収納されたと判断する。
【００４０】
また、ＣＰＵ１０は、タッチペン１９を取り出す場合、ＬＳＷ１６が先にタッチペン１９を検出しなくなり、ＲＳＷ１７がその後にタッチペン１９を検出しなくなると、タッチペン１９が、電子辞書１の正面側からみて、右側から取り出されたと判断し、ＲＳＷ１７が先にタッチペン１９を検出しなくなり、ＬＳＷ１６がその後にタッチペン１９を検出しなくなると、タッチペン１９が、電子辞書１の正面側からみて、左側から取り出されたと判断する。
【００４１】
すなわち、ＣＰＵ１０は、ＬＳＷ１６およびＲＳＷ１７の検出結果が、収納部２０から、タッチペン１９の右端よりも左端が先に取り出されたことが検出されたことを示している場合、使用者は左利きであると判断することができる。また、ＣＰＵ１０は、ＬＳＷ１６およびＲＳＷ１７の検出結果が、収納部２０から、タッチペン１９の左端よりも右端が先に取り出されたことが検出されたことを示している場合、使用者は右利きであると判断することができる。
【００４２】
図５は、キーボード入力画面３１および手書き入力画面３２の例を示す図である。図５（ａ）は、キーボード入力画面３１の一例を示す図である。キーボード入力画面３１は、表示部１３の表示画面に表示される。キーボード入力画面３１には、「電子辞書」というタイトルと、キーボード入力文字表示欄３１１とが形成されている。キーボード入力文字表示欄３１１は、キーボードによって入力された文字を表示するための欄である。
図５に示したキーボード入力文字表示欄３１１には、文字列「読み」が表示されている。この「読み」は、「読みを入力してください」という使用者に対するメッセージである。入力された読みは、キーボード入力文字表示欄３１１に表示される文字列「読み」に続いて表示される。たとえば、「挨拶」に対する読みとして「あいさつ」が入力されると、キーボード入力文字表示欄３１１には、「読み  あいさつ」と表示される。
【００４３】
キーボード入力画面３１は、電源が投入されている状態で、タッチペン１９が収納部２０に収納されたとき表示される。タッチペン１９が収納部２０に収納されたときにキーボード入力画面３１を表示するのは、使用者がキーボードによる入力を望んでいると考えられるからである。また、電子辞書１のメニューには、キーボード入力画面３１を表示させるための項目が用意されていれている。したがって、使用者は、タッチペン１９を紛失した場合でも、メニューからキーボード入力画面３１を表示させることができる。
【００４４】
図５（ｂ）は、手書き入力画面３２の一例を示す図である。手書き入力画面３２は、表示部１３の表示画面に表示される。手書き入力画面３２には、「電子辞書」というタイトルと、手書き入力欄３２１とが形成されている。手書き入力欄３２１は、タッチペン１９によって手書きで文字を入力し、かつ手書きで入力された文字を表示するための欄である。
【００４５】
手書き入力欄３２１には、手書き入力領域３２２、手書き入力文字表示欄３２３、自動ボタン３２４、手動ボタン３２５および認識ボタン３２６が設けられる。手書きによって入力された文字列「読み」が表示されている。手書き入力領域３２２は、手書きで文字を入力するための領域である。手書き入力文字表示欄３２３は、入力された手書き文字を表示する欄である。手書き入力領域３２２に文字を手書きで入力した後、認識ボタン３２６を操作することによって、入力された手書き文字を認識し、認識した文字が手書き入力文字表示欄３２３に表示される。図５（ｂ）に示した手書き入力文字表示欄３２３には、文字列「読み」が表示されている。この「読み」は、図５（ａ）に示したキーボード入力文字表示欄３１１の「読み」と同じである。
【００４６】
自動ボタン３２４は、手書き入力領域３２２に入力された手書き文字の認識を、自動的に、つまり認識ボタン３２６の操作とは関係なく電子辞書１が行うように設定するための操作ボタンである。手書き入力領域３２２に入力された手書き文字の認識を、利用者が手動で、つまり、認識ボタン３２６の操作によって行うように設定するための操作ボタンである。認識ボタン３２６は、手書き入力領域３２２に入力された手書き文字の認識を指示する操作ボタンである。
【００４７】
文字入力が可能な画面、つまりキーボード入力画面３１または手書き入力画面３２を表示しているときに、主電源が切断された後、主電源が切断されているときに、収納部２０からタッチペン１９が取り出されたときは、主電源が投入され、主電源が投入された後、手書き入力画面３２が表示される。収納部２０からタッチペン１９が取り出されたときに手書き入力画面３２を表示するのは、使用者がタッチペン１９による手書き入力を望んでいると考えられるからである。以下、主電源のことを、単に「電源」ともいう。
【００４８】
図６は、右利き用および左利き用の手書き入力画面の例を示す図である。図６（ａ）は、左利き用の手書き入力画面３２の一例を示す図である。図６（ａ）に示した左利き用の手書き入力画面３２は、図５（ａ）に示した手書き入力画面３２と同じであり、重複する部分の説明は省略する。左利き用の手書き入力画面３２は、タッチペン１９が左側から取り出されたときに表示される。
【００４９】
左利き用の手書き入力画面３２では、手書き入力領域３２２が表示画面内の左側に配置され、自動ボタン３２４、手動ボタン３２５および認識ボタン３２６が右側に配置されている。これは、使用者が左手で手書き入力領域３２２に手書き入力を行っているときに、使用者の左手が、誤って、自動ボタン３２４、手動ボタン３２５および認識ボタン３２６などに触れることがないようにするためである。
【００５０】
図６（ｂ）は、右利き用の手書き入力画面３３の一例を示す図である。右利き用の手書き入力画面３３は、タッチペン１９が右側から取り出されたときに表示される。右利き用の手書き入力画面３３では、手書き入力領域３２２が表示画面内の右側に配置され、自動ボタン３２４、手動ボタン３２５および認識ボタン３２６が左側に配置されている。これは、使用者が右手で手書き入力領域３２２に手書き入力を行っているときに、使用者の右手が、誤って、自動ボタン３２４、手動ボタン３２５および認識ボタン３２６などに触れることがないようにするためである。
【００５１】
したがって、電子辞書１は、タッチペン１９が取り出された方向によって、使用者の利き腕を判断し、利き腕に応じた手書き入力画面を表示することができ、使用者の利き腕に応じた最適な画面を表示することができる。
【００５２】
図７は、ペン存在判断テーブル４０に含まれる情報を示す図である。使用者は、タッチペン１９を紛失した場合、電子辞書１専用のタッチペン１９以外の別のタッチペン、または指で操作を行う可能性が高くなる。電子辞書１は、収納部２０に収納可能な純正のタッチペン１９を紛失すると、利き腕の判定を行うことができなくなる。そこで、電源オフ（以下「ＯＦＦ」ともいう）時、および電源オン（以下「ＯＮ」ともいう）時のタッチペン１９の収納状態からタッチペン１９の存在を、ペン存在判断テーブル４０に基づいて判定する。
【００５３】
ペン存在判断テーブル４０は、「ＯＦＦ時」、「ＯＮ時」および「判定」の項目を含む。「ＯＦＦ時」は、電源オフ時にタッチペン１９が収納部２０にあることが検出されたか否かを示す。「ペンなし」は、電源オフ時にタッチペン１９が収納部２０にあることが検出されなかったことを示し、「ペンあり」は、電源オフ時にタッチペン１９が収納部２０にあることが検出されたことを示す。
【００５４】
「ＯＮ時」は、電源オン時にタッチペン１９が収納部２０にあることが検出されたか否かを示す。「ペンなし」は、電源オン時にタッチペン１９が収納部２０にあることが検出されなかったことを示し、「ペンあり」は、電源オン時にタッチペン１９が収納部２０にあることが検出されたことを示す。
【００５５】
「判定」は、「ＯＦＦ時」の状態と「ＯＮ時」の状態との組み合わせに応じて判定される結果を示す。具体的には、「ＯＦＦ時」が「ペンなし」で、「ＯＮ時」が「ペンなし」であるとき、「判定」は、「ペン紛失の可能性あり」である。すなわち、タッチペン１９が紛失している可能性があるということである。
【００５６】
「ＯＦＦ時」が「ペンなし」で、かつ「ＯＮ時」が「ペンあり」であるとき、「ＯＦＦ時」が「ペンあり」で、かつ「ＯＮ時」が「ペンなし」であるとき、および「ＯＦＦ時」が「ペンあり」で、かつ「ＯＮ時」が「ペンあり」であるとき、いずれも「判定」は、「ペン存在」である。「ペン存在」とは、タッチペン１９が存在しているということである。ただし、「ＯＦＦ時」が「ペンあり」で、かつ「ＯＮ時」が「ペンなし」であるときは、使用するために事前にタッチペン１９が抜かれた可能性がある。
【００５７】
「ＯＦＦ時」が「ペンなし」で、かつ「ＯＮ時」が「ペンなし」であるときは、タッチペン１９が紛失している可能性があるということであり、タッチペン１９が紛失しているか否かが定かではない。そこで、電子辞書１は、タッチペン１９が収納部２０から取り出されてからの時間が、予め定める時間、たとえば２４時間を超えた場合に、タッチペン１９が紛失したと判定する。電子辞書１は、タッチペン１９が紛失したと判定すると、使用者に利き腕を設定させるための後述する利き腕設定画面３４を表示して、使用者に利き腕を設定させる。
【００５８】
図８は、利き腕設定画面３４の一例を示す図である。利き腕設定画面３４は、図６（ａ）に示した左手用の手書き入力画面３２の手書き入力欄３２１の上に、利き腕設定欄３４１を重ねて表示したものである。利き腕設定欄３４１には、「長時間ペンが戻されませんでした。あなたの利き腕はどちらですか？」というメッセージが表示され、選択肢として、［右利き］３４２および［左利き］３４３が表示されている。使用者は、タッチペン１９によって選択肢［右利き］３４２を選択することによって、利き腕として右利きを設定し、タッチペン１９によって選択肢［左利き］３４３を選択することによって、利き腕として左利きを設定することができる。
【００５９】
利き腕設定画面３４によって利き腕が設定された後、タッチペン１９が収納部２０に収納されたことが、第１格納スイッチ１６または第２格納スイッチ１７によって検出されるまで、利き腕設定画面３４によって設定された利き腕に対応する手書き入力画面が表示される。タッチペン１９が収納部２０に収納されたことが、第１格納スイッチ１６または第２格納スイッチ１７によって検出されると、以後、タッチペン１９が収納部２０から取り出されたとき、タッチペン１９が収納部２０から取り出された方向に対応する利き腕の手書き入力画面が表示され、利き腕設定画面３４による設定は無効となる。
【００６０】
図９は、ペン取り出し処理の処理手順を示すフローチャートである。ペン取り出し処理は、タッチペン１９が収納部２０から取り出されたときに実行される処理である。第１格納スイッチ１６および第２格納スイッチ１７によって、タッチペン１９が収納部２０から取り出されたことが検出されると、ステップＡ１に移る。
【００６１】
ステップＡ１では、ＣＰＵ１０は、第１格納スイッチ１６および第２格納スイッチ１７から、タッチペン１９が収納部２０から取り出されたことを検出した旨を受け取る。ステップＡ２では、ＣＰＵ１０は、ペンが右側から取り出されたか否かを判定する。ＣＰＵ１０は、第１格納スイッチ１６によってタッチペン１９が収納部２０から取り出されたことが検出された時刻が、第２格納スイッチ１７によってタッチペン１９が収納部２０から取り出されたことが検出された時刻よりも早い時刻であるとき、ペンが右側から取り出されたと判定し、ステップＡ３に進む。ＣＰＵ１０は、第１格納スイッチ１６によってタッチペン１９が収納部２０から取り出されたことが検出された時刻が、第２格納スイッチ１７によってタッチペン１９が収納部２０から取り出されたことが検出された時刻よりも早い時刻でないとき、ペンが右側から取り出されなかった、つまり左側から取り出されたと判定し、ステップＡ６に進む。
【００６２】
ステップＡ３では、ＣＰＵ１０は、利き腕情報ＡＲＭ＿ＩＮＦＯに、利き腕が右腕であることを示す「ＲＩＧＨＴ」を記憶する。利き腕情報ＡＲＭ＿ＩＮＦＯは、利き腕が右腕であるか左腕であるかを表す情報であり、ＲＡＭ１２に記憶される。利き腕が左腕である場合は、利き腕情報ＡＲＭ＿ＩＮＦＯに、利き腕が左腕であることを示す「ＬＥＦＴ」が記憶される。
【００６３】
ステップＡ４では、ＣＰＵ１０は、システムが文字を入力可能な状態であるか否かを判定する。ＣＰＵ１０は、システムが文字を入力可能な状態であるとき、ステップＡ５に進み、システムが文字を入力可能な状態でないとき、ペン取り出し処理を終了する。
【００６４】
システムが文字を入力可能な状態とは、文字を入力可能な画面を表示している状態である。文字を入力可能な状態であるか否かは、文字を入力可能な画面を表示しているか否かによって判定することができる。文字を入力可能な画面であるか否かは、電子辞書１に実装されているアプリケーションプログラムによって決まる。
【００６５】
画面には、メニューを操作するための画面、たとえば、辞書を選ぶための画面、辞書を引くために文字を入力する画面、検索した結果、たとえば辞書による訳を表示する画面などがあるが、メニューを操作するための画面や検索した結果を表示する画面を表示している状態は、システムが文字を入力可能な状態ではない。辞書を引くために文字を入力する画面を表示している状態は、システムが文字を入力可能な状態である。
【００６６】
ステップＡ５では、ＣＰＵ１０は、後述する手書き入力画面表示処理を実行し、ペン取り出し処理を終了する。ステップＡ６では、ＣＰＵ１０は、ＣＰＵ１０は、利き腕情報ＡＲＭ＿ＩＮＦＯに、「ＬＥＦＴ」を記憶し、ステップＡ４に進む。
【００６７】
図１０は、電源オン処理の処理手順を示すフローチャートである。電源スイッチ１５が電源投入指示を指示すると、ステップＢ１に移る。
【００６８】
ステップＢ１では、ＣＰＵ１０は、ペンがあるか否かを判定する。ＣＰＵ１０は、第１格納スイッチ１６および第２格納スイッチ１７のうちの少なくとも１つから、タッチペン１９が収納部２０に収納されていることを検出していることが知らされていると、ペンがあると判定し、ステップＢ２に進む。ＣＰＵ１０は、第１格納スイッチ１６および第２格納スイッチ１７から、タッチペン１９が収納部２０に収納されていないことを検出していることが知らされていると、ペンがないと判定し、ステップＢ６に進む。
【００６９】
ステップＢ２では、ＣＰＵ１０は、電源オン時フラグＯＮ＿ＰＥＮ＿ＦＬＡＧに、タッチペン１９が収納部２０に存在することを示す「ＦＡＬＳＥ」を記憶する。電源オン時フラグＯＮ＿ＰＥＮ＿ＦＬＡＧは、電源オン時にタッチペン１９が収納部２０に存在するか否かを示す情報であり、電源オン時にタッチペン１９が収納部２０に存在しない場合、電源オン時フラグＯＮ＿ＰＥＮ＿ＦＬＡＧに、タッチペン１９が収納部２０に存在しないことを示す「ＴＲＵＥ」を記憶する。
【００７０】
ステップＢ３では、ＣＰＵ１０は、現在の時刻ＮＯＷ（）から電源オフ時刻ＯＦＦ_ＴＩＭＥを減算した時間が、予め定める時間、たとえば２４時間（図１０では「２４Ｈｏｕｒ」という）よりも長いか否かを判定する。現在の時刻ＮＯＷ（）は、計時部２３によって計時される現在の時刻である。電源オフ時刻ＯＦＦ_ＴＩＭＥは、最も直近に電子辞書１の電源が切断された時刻である。ＣＰＵ１０は、現在の時刻ＮＯＷ（）から電源オフ時刻ＯＦＦ_ＴＩＭＥを減算した時間が、予め定める時間、たとえば２４時間（図１０では「２４Ｈｏｕｒ」という）よりも長いとき、ステップＢ４に進む。ＣＰＵ１０は、現在の時刻ＮＯＷ（）から電源オフ時刻ＯＦＦ_ＴＩＭＥを減算した時間が、予め定める時間、たとえば２４時間（図１０では「２４Ｈｏｕｒ」という）よりも長くないとき、電源オン処理を終了する。
【００７１】
ステップＢ４では、ＣＰＵ１０は、電源オン時フラグＯＮ＿ＰＥＮ＿ＦＬＡＧが「ＴＲＵＥ」であり、かつ電源オフ時フラグＯＦＦ＿ＰＥＮ＿ＦＬＡＧが「ＴＲＵＥ」であるか否かを判定する。ＣＰＵ１０は、電源オフ時フラグＯＦＦ＿ＰＥＮ＿ＦＬＡＧは、電源オフ時にタッチペン１９が収納部２０に存在するか否かを示す情報である。電源オフ時にタッチペン１９が収納部２０に存在しない場合、電源オフ時フラグＯＦＦ＿ＰＥＮ＿ＦＬＡＧに、タッチペン１９が収納部２０に存在しないことを示す「ＴＲＵＥ」が記憶される。電源オフ時にタッチペン１９が収納部２０に存在する場合、電源オフ時フラグＯＦＦ＿ＰＥＮ＿ＦＬＡＧに、タッチペン１９が収納部２０に存在することを示す「ＦＡＬＳＥ」が記憶される。
【００７２】
ＣＰＵ１０は、電源オン時フラグＯＮ＿ＰＥＮ＿ＦＬＡＧが「ＴＲＵＥ」であり、かつ電源オフ時フラグＯＦＦ＿ＰＥＮ＿ＦＬＡＧが「ＴＲＵＥ」であるとき、すなわち、電源オン時にタッチペン１９が収納部２０に存在せず、かつ電源オフ時にタッチペン１９が収納部２０に存在しなかったとき、ステップＢ５に進む。ＣＰＵ１０は、電源オン時フラグＯＮ＿ＰＥＮ＿ＦＬＡＧが「ＴＲＵＥ」でないとき、または電源オフ時フラグＯＦＦ＿ＰＥＮ＿ＦＬＡＧが「ＴＲＵＥ」でないとき、すなわち、電源オン時にタッチペン１９が収納部２０に存在したとき、または電源オフ時にタッチペン１９が収納部２０に存在したとき、ステップＢ７に進む。
【００７３】
ステップＢ５では、ＣＰＵ１０は、ペン認識モードＰＥＮ＿ＭＯＤＥに、利き腕を手動で設定するための手動モードであることを示す「ＭＡＮＵＡＬ」を記憶して、電源オン処理を終了する。ペン認識モードＰＥＮ＿ＭＯＤＥは、利き腕を設定するモードが、自動モードであるか、手動モードであるか、または手動固定モードであるかを示す情報である。利き腕を設定するモードが、利き腕を自動で設定するモードであるとき、ペン認識モードＰＥＮ＿ＭＯＤＥに、自動モードであることを示す「ＡＵＴＯ」が記憶される。手動モードで利き腕が設定されているとき、ペン認識モードＰＥＮ＿ＭＯＤＥに、手動固定モードであることを示す「ＭＡＮＵＡＬ＿ＦＩＸＥＤ」が記憶される。
【００７４】
ステップＢ６では、ＣＰＵ１０は、電源オン時フラグＯＮ＿ＰＥＮ＿ＦＬＡＧに、「ＴＲＵＥ」を記憶して、ステップＢ３に進む。ステップＢ７では、ＣＰＵ１０は、ペン認識モードＰＥＮ＿ＭＯＤＥに、「ＡＵＴＯ」を記憶して、電源オン処理を終了する。
【００７５】
図１１は、電源オフ処理の処理手順を示すフローチャートである。電源スイッチ１５から電源切断指示を受けると、ステップＣ１に移る。
【００７６】
ステップＣ１では、ＣＰＵ１０は、ペンがあるか否かを判定する。ＣＰＵ１０は、第１格納スイッチ１６および第２格納スイッチ１７のうちの少なくとも１つから、タッチペン１９が収納部２０に収納されていることを検出していることが知らされていると、ペンがあると判定し、ステップＣ２に進む。ＣＰＵ１０は、第１格納スイッチ１６および第２格納スイッチ１７から、タッチペン１９が収納部２０に収納されていないことを検出していることが知らされていると、ペンがないと判定し、ステップＣ４に進む。
【００７７】
ステップＣ２では、ＣＰＵ１０は、電源オフ時フラグＯＦＦ＿ＰＥＮ＿ＦＬＡＧに、「ＦＡＬＳＥ」を記憶する。ステップＣ３では、ＣＰＵ１０は、電源オフ時刻ＯＦＦ_ＴＩＭＥに、現在の時刻ＮＯＷ（）を記憶して、電源オフ処理を終了する。ステップＣ４では、ＣＰＵ１０は、電源オフ時フラグＯＦＦ＿ＰＥＮ＿ＦＬＡＧに、「ＴＲＵＥ」を記憶して、ステップＣ４に進む。
【００７８】
図１２は、リセット処理の処理手順を示すフローチャートである。リセット処理は、電子辞書１が何らかの原因でハングアップした場合に、たとえば、電子辞書１の背面に設けれるリセットスイッチが押されたとき、または乾電池で駆動する電子辞書１の場合に、乾電池の交換によって電子辞書１がリセットされたときに実行される。
【００７９】
ステップＤ１では、ＣＰＵ１０は、電源オン時フラグＯＮ＿ＰＥＮ＿ＦＬＡＧに、「ＦＡＬＳＥ」を記憶する。ステップＤ２では、ＣＰＵ１０は、電源オフ時フラグＯＦＦ＿ＰＥＮ＿ＦＬＡＧに、「ＦＡＬＳＥ」を記憶する。ステップＤ３では、ＣＰＵ１０は、ペン認識モードＰＥＮ＿ＭＯＤＥに、「ＡＵＴＯ」を記憶する。ステップＤ４では、ＣＰＵ１０は、利き腕情報ＡＲＭ＿ＩＮＦＯに、「ＲＩＧＨＴ」を記憶して、リセット処理を終了する。
【００８０】
図１３は、使用者による手書きモード切り換え処理の処理手順を示すフローチャートである。ペンが紛失された状態では、キーボード入力画面３１と手書き入力画面３２との切り換えは使用者が行わなければない。使用者がメニュー等の操作で手書き入力画面３２を表示させたときに、使用者による手書きモード切り換え処理が実行され、必要であれば利き腕を問い合わせるダイアログを表示する。
【００８１】
ステップＥ１では、ＣＰＵ１０は、ペン認識モードＰＥＮ＿ＭＯＤＥが「ＭＡＮＵＡＬ」であるか否かを判定する。ＣＰＵ１０は、ペン認識モードＰＥＮ＿ＭＯＤＥが「ＭＡＮＵＡＬ」であるとき、ステップＥ２に進み、ペン認識モードＰＥＮ＿ＭＯＤＥが「ＭＡＮＵＡＬ」でないとき、ステップＥ４に進む。
【００８２】
ステップＥ２では、ＣＰＵ１０は、使用者に利き腕の入力を要求し、利き腕を設定する。具体的には、ＣＰＵ１０は、たとえば図８に示した利き腕設定画面３４を表示し、表示した利き腕設定画面３４に応答して、タッチペン１９によって選択肢［右利き］３４２が選択されると、利き腕情報ＡＲＭ＿ＩＮＦＯに「ＲＩＧＨＴ」を設定し、タッチペン１９によって選択肢［左利き］３４３が選択されると、利き腕情報ＡＲＭ＿ＩＮＦＯに「ＬＥＦＴ」を設定する。
【００８３】
ステップＥ３では、ＣＰＵ１０は、ペン認識モードＰＥＮ＿ＭＯＤＥに、「ＭＡＮＵＡＬ＿ＦＩＸＥＤ」を記憶する。ステップＥ４では、ＣＰＵ１０は、キー入力モードから手書きモード表示に切り換えて、使用者による手書きモード切り換え処理を終了する。すなわち、表示部１３の表示画面に表示しているキーボード入力画面３１を、手書き入力画面３２に切り換えて、使用者による手書きモード切り換え処理を終了する。
【００８４】
図１４は、手書き入力画面表示処理の処理手順を示すフローチャートである。使用者による手書きモード切り替え処理、または図９に示したステップＡ５が実行されると、ステップＦ１に移る。
【００８５】
ステップＦ１では、ＣＰＵ１０は、利き腕情報ＡＲＭ＿ＩＮＦＯが「ＲＩＧＨＴ」であるか否かを判定する。ＣＰＵ１０は、利き腕情報ＡＲＭ＿ＩＮＦＯに、利き腕が右腕であることを示す「ＲＩＧＨＴ」が記憶されていると、利き腕情報ＡＲＭ＿ＩＮＦＯが「ＲＩＧＨＴ」であると判定し、ステップＦ２に進む。ＣＰＵ１０は、利き腕情報ＡＲＭ＿ＩＮＦＯに、利き腕が左腕であることを示す「ＬＥＦＴ」が記憶されていると、利き腕情報ＡＲＭ＿ＩＮＦＯが「ＲＩＧＨＴ」でないと判定し、ステップＦ３に進む。
【００８６】
ステップＦ２では、ＣＰＵ１０は、右利き用の手書き入力画面３３を表示部１３に表示して、手書き入力画面表示処理を終了する。ステップＦ３では、ＣＰＵ１０は、左利き用の手書き入力画面３２を表示部１３に表示して、手書き入力画面表示処理を終了する。
【００８７】
図１４に示した手書き入力画面表示処理では、手書き入力画面について、右利き用または左利き用の画面を出力したが、図１４に示した処理は、手書き入力画面に限定されるものではなく、右利き用および左利き用の画面がある場合には、図１４に示した手書き入力画面表示処理と同様の処理が行われる。
【００８８】
図１５は、収納部２０の他の形態を示す図である。上述した実施形態では、収納部２０を筒状に形成したが、筒状に限定されるものではなく、溝状あるいはクリップ状であってもよい。図１５（ａ）は、収納部２０を溝状に形成した電子辞書１ａの一例である。電子辞書１ａには、溝状に形成された凹部５１が、電子辞書１ａの正面下部に左右方向に設けられ、凹部５１にタッチペン１９が収納される。凹部５１の長手方向両端部には、タッチペン１９を長手方向に押圧する押圧部、たとえばばねが設けられ、タッチペン１９は、該押圧部によって保持される。長手方向の左端の押圧部に、第１格納スイッチ１６が設けられ、長手方向の右端の押圧部に、第２格納スイッチ１７が設けられる。第１格納スイッチ１６および第２格納スイッチ１７は、タッチペン１９が各押圧部によって押圧されているか否かを検出する。
【００８９】
図１５（ｂ）は、収納部２０をクリップ状に形成した電子辞書１ｂの一例である。電子辞書１ｂには、クリップ状に形成されたクリップ部５２が、電子辞書１ｂの正面上部に設けられ、クリップ部５２にタッチペン１９が横方向に収納される。クリップ部５２は、上部が開放しており、タッチペン１９を挟持する。クリップ部５２は、タッチペン１９を左右いずれの方向からも挿入可能に形成される。第１格納スイッチ１６は、クリップ部５２の左端に設けられ、第２格納スイッチ１７は、クリップ部５２の右端に設けられる。
【００９０】
このように、表示部１３は、情報を表示する。タッチパネル１４１は、タッチペン１９によって手書きされた情報を入力する。電源部は、表示部１３およびタッチパネル１４１に電力を供給する。収納部２０は、表示部１３に向かって左右方向にタッチペン１９を収納する。第１格納スイッチ１６および第２格納スイッチ１７は、タッチペン１９が収納部２０から取り外されたこと、およびタッチペン１９の右端よりも左端が先に取り出されたか、タッチペン１９の左端よりも右側が先に取り出されたかを検出する。そして、ＣＰＵ１０は、第１格納スイッチ１６および第２格納スイッチ１７によってタッチペン１９が取り出されたことが検出されたとき、電源部の電源を投入し、第１格納スイッチ１６および第２格納スイッチ１７によってタッチペン１９の右端よりも左端が先に取り出されたことが検出された場合、左手によって手書きで情報を入力するための左利き用の手書き入力画面を表示部１３に表示し、第１格納スイッチ１６および第２格納スイッチ１７によってタッチペン１９の左端よりも右端が先に取り出されたことが検出された場合、右手によって手書きで情報を入力するための右利き用の手書き入力画面を表示部１３に表示する。したがって、タッチペン１９の取り出しによって利き腕に応じた画面表示を行うことができる。また、タッチペン１９を取り出すだけで電源をオンにすることもでき、タッチペン１９を利用した電源投入および利き腕に応じた手書き入力画面の切り換えを自動で行うことができる。特に、複数の使用者で共有される情報端末装置において、使用者による利き腕に応じた手書き入力画面の切り換え操作を省くことができ、使用者の利便性を向上することができる。
【００９１】
さらに、電源スイッチ１５は、前記電源部の電源の投入および電源の切断を指示する。第１格納スイッチ１６および第２格納スイッチ１７は、タッチペン１９が収納部２０に収納されていることをさらに検出する。そして、ＣＰＵ１０は、電源スイッチ１５が電源の投入を指示した時点で、第１格納スイッチ１６および第２格納スイッチ１７によって、タッチペン１９が収納部２０に収納されていることが検出されず、かつ電源スイッチ１５が電源の切断を指示した時点で、第１格納スイッチ１６および第２格納スイッチ１７によって、タッチペン１９が収納部２０に収納されていることが検出されなかった場合、タッチペン１９が紛失した可能性があると判定する。また、ＣＰＵ１０は、電源スイッチ１５が電源の投入を指示した時点で、第１格納スイッチ１６および第２格納スイッチ１７によって、タッチペン１９が収納部２０に収納されていることを検出された場合、または、電源スイッチ１５が電源の切断を指示した時点で、第１格納スイッチ１６および第２格納スイッチ１７によって、タッチペン１９が収納部２０に収納されていることが検出された場合、タッチペン１９が存在すると判定する。したがって、タッチペン１９の紛失の可能性を検出することができる。
【００９２】
さらに、計時部２３は、時間を計時する。そして、ＣＰＵ１０は、タッチペン１９が紛失した可能性があると判定した場合、第１格納スイッチ１６および第２格納スイッチ１７が、タッチペン１９が収納部２０から取り出されたことを検出した時点から、タッチペン１９が収納部２０に収納されたことを検出することなく、計時部２３によって計時された時間が、予め定める時間を超えたとき、手書き入力画面を右利き用にするか、左利き用にするかを設定するための設定画面を表示部１３に表示する。したがって、タッチペン１９が紛失されたと判断されるとき、右利き／左利きを設定するための画面を自動的に表示することができ、タッチペン１９を紛失しても、情報端末装置が使用不能になることを防止することができる。
【００９３】
さらに、キーボード１４２は、情報を入力するための複数のキーを有する。第１格納スイッチ１６および第２格納スイッチ１７は、タッチペン１９が収納部２０に収納されたことをさらに検出する。そして、ＣＰＵ１０は、第１格納スイッチ１６および第２格納スイッチ１７によって、電源が投入されている状態でタッチペン１９が収納部２０に収納されたことが検出されたとき、表示部１３に表示している手書き入力画面を、キーボード１４２によって情報を入力するためのキーボード入力画面に代えて、表示部１３に表示する。したがって、タッチペン１９が収納されたとき、タッチペン１９が使用されることはないので、自動的に手書き入力画面からキーボード入力画面に切り換えることができる。
【００９４】
さらに、収納部２０は、筒状であるので、タッチペン１９を確実に収納することができる。
【００９５】
さらに、収納部２０は、溝状であるので、筒状の場合に比べて、容易に収納部２０を形成することができる。
【００９６】
さらに、収納部２０は、クリップ状であるので、筒状および溝状に比べて、収納部２０を小さくすることができる。
【００９７】
さらに、第１格納スイッチ１６および第２格納スイッチ１７は、複数のスイッチによって構成されるので、検出の順序に基づいて、収納方向および取り出し方向を検出することができる。
【００９８】
さらに、第１格納スイッチ１６および第２格納スイッチ１７は、２つのスイッチによって構成されるので、スイッチの数を必要最小限まで低減することができ、減価低減を図ることができる。
【符号の説明】
【００９９】
１  電子辞書
１０  ＣＰＵ
１１  ＲＯＭ
１２  ＲＡＭ
１３  表示部
１４  操作部
１５  電源スイッチ
１６  第１格納スイッチ
１７  第２格納スイッチ
１８  データバス
１９  ペン
２０  収納部
２１  右開口部
２２  左開口部
２３  計時部
１４１  タッチパネル
１４２  キーボード
【図１】
2012226713.tif 000003
【図２】
2012226713.tif 000004
【図３】
2012226713.tif 000005
【図４】
2012226713.tif 000006
【図５】
2012226713.tif 000007
【図６】
2012226713.tif 000008
【図７】
2012226713.tif 000009
【図８】
2012226713.tif 000010
【図９】
2012226713.tif 000011
【図１０】
2012226713.tif 000012
【図１１】
2012226713.tif 000013
【図１２】
2012226713.tif 000014
【図１３】
2012226713.tif 000015
【図１４】
2012226713.tif 000016
【図１５】
2012226713.tif 000017